(57)【要約】【課題】効率的に利用できる洗面台、洗面台用蓋部材、及び洗面室構造を提供する。【解決手段】本発明の洗面台（１０）は、底部に排水口を有する洗面ボウル（１１）と、この洗面ボウル（１１）の少なくとも一部を覆うように位置決めされる蓋部材（１）とを備えている。本発明の洗面台用蓋部材（１）は、洗面ボウル（１１）を有する洗面台（１０）において、洗面ボウル（１）の少なくとも一部を覆うように位置決めされることを特徴としている。本発明の洗面室構造は、洗面ボウル（１１）と、この洗面ボウル（１１）と着脱可能であり、かつアイロン台機能を有する蓋部材（１）とを含む洗面台（１０）を設置するための洗面台スペースと、洗面台スペース近傍に設けられ、洗濯機を設置するための洗濯機スペースとを備えている。【選択図】図１
2016106928.tif 000002
【特許請求の範囲】
【請求項１】
底部に排水口を有する洗面ボウルと、
前記洗面ボウルの少なくとも一部を覆うように位置決めされる蓋部材とを備える、洗面台。
【請求項２】
前記蓋部材は、前記洗面ボウルと嵌合する形状を有する、請求項１に記載の洗面台。
【請求項３】
前記蓋部材は、前記洗面ボウルと着脱可能に構成されており、
前記洗面ボウルの内面の少なくとも一部に、前記蓋部材を係止するための段差が形成されている、請求項２に記載の洗面台。
【請求項４】
前記洗面ボウル内に向けて吐水する水栓をさらに備え、
前記蓋部材は、前記洗面ボウルにおいて前記水栓の下方に位置する領域を除いた領域全体を覆う、請求項１〜３のいずれか１項に記載の洗面台。
【請求項５】
前記蓋部材は、表面と、前記表面と反対側の裏面とを有し、
前記裏面は、前記表面よりも耐熱性が高い、請求項１〜４のいずれか１項に記載の洗面台。
【請求項６】
前記表面は、ドレッサーとして機能し、
前記裏面は、アイロン台として機能する、請求項５に記載の洗面台。
【請求項７】
前記洗面ボウルの少なくとも一部を取り囲む洗面カウンターをさらに備え、
前記蓋部材の前記表面が上方に位置するように前記洗面ボウルを覆うときに、前記蓋部材の前記表面は、前記洗面カウンターと同一平面上に位置するように位置決めされ、
前記蓋部材の前記裏面が上方に位置するように前記洗面ボウルを覆うときに、前記蓋部材の前記裏面は、前記洗面カウンターよりも上方に位置するように位置決めされる、請求項６に記載の洗面台。
【請求項８】
前記洗面ボウルの上方に設けられたミラーキャビネットをさらに備え、
前記ミラーキャビネットは、ハンガーを掛けるための引掛部を有する、請求項１〜７のいずれか１項に記載の洗面台。
【請求項９】
前記洗面ボウルの下方に設けられた下部キャビネットをさらに備え、
前記下部キャビネットは、スツール機能を有する、請求項１〜８のいずれか１項に記載の洗面台。
【請求項１０】
洗面ボウルを有する洗面台において、前記洗面ボウルの少なくとも一部を覆うように位置決めされることを特徴とする、洗面台用蓋部材。
【請求項１１】
洗面ボウルと、前記洗面ボウルと着脱可能であり、かつアイロン台機能を有する蓋部材とを含む洗面台を設置するための洗面台スペースと、
前記洗面台スペース近傍に設けられ、洗濯機を設置するための洗濯機スペースとを備える、洗面室構造。
【請求項１２】
前記洗濯機スペースに設置された洗濯機により生じる洗濯物を干すための物干しスペースをさらに備える、請求項１１に記載の洗面室構造。
【発明の詳細な説明】
【技術分野】
【０００１】
本発明は、洗面台、洗面台用蓋部材、及び洗面室構造に関する。
【背景技術】
【０００２】
一般的に、洗面所には、水栓と、この水栓からの水を受ける洗面ボウルとを備える洗面台が設置されている。このような洗面台として、例えば、特開２００８−２３７４４４号公報（特許文献１）、特開２０１１−０００３３７号公報（特許文献２）、特開２０１１−０００３３９号公報（特許文献３）などが挙げられる。特許文献１〜３には、洗面ボウルの上部にミラーキャビネットを設けた洗面化粧台が開示されている。
【先行技術文献】
【特許文献】
【０００３】
【特許文献１】特開２００８−２３７４４４号公報
【特許文献２】特開２０１１−０００３３７号公報
【特許文献３】特開２０１１−０００３３９号公報
【発明の概要】
【発明が解決しようとする課題】
【０００４】
都心等の専有面積の小さい住宅においては、洗面化粧台とは別にドレッサーを独立して配置するスペースがない場合がある。この場合には、上記特許文献１〜３のような洗面化粧台が、化粧、整髪等のためのドレッサーとして使用される場合がある。しかしながら、占有面積の小さい住宅では洗面化粧台が小さいことが多く、化粧品、整髪料などを仮置きするスペースが小さくなり、ドレッサーとしての使い勝手が悪い。
【０００５】
そこで、本発明は、上記問題点に鑑み、効率的に利用できる洗面台、洗面台用蓋部材、及び洗面室構造を提供することを課題とする。
【課題を解決するための手段】
【０００６】
従来の洗面台は、限られたスペースに最低限の機能を設けるとともに、見栄えを重視されてきたので、洗面台を効率的に利用することが重要視されていないことに本発明者は着目した。そこで、本発明者が洗面台を効率的に利用する技術を鋭意研究した結果、占有面積の小さい住宅では、洗面台における洗面ボウルの占める割合が大きいため、ドレッサーとしての機能を十分に満足させることができないことを見出した。そして、本発明者は、洗面ボウルの占める空間を有効活用することを鋭意検討し、本発明を完成させた。
【０００７】
本発明の一態様に係る洗面台は、底部に排水口を有する洗面ボウルと、この洗面ボウルの少なくとも一部を覆うように位置決めされる蓋部材とを備えている。
【０００８】
本発明の一態様に係る洗面台によれば、洗面ボウルに位置決めされる蓋部材を備えているので、洗面ボウルの少なくとも一部を蓋部材が覆うように位置させることができ、洗面台の限られたスペース内に蓋部材による作業スペースを設けることが可能である。このため、蓋部材にドレッサーなどの機能を持たせることができるので、洗面ボウル上のスペースを利用することができる。したがって、洗面台を効率的に利用することができる。
【０００９】
本発明の一態様に係る洗面台において好ましくは、蓋部材は、洗面ボウルと嵌合する形状を有している。
【００１０】
これにより、蓋部材は洗面ボウルに固定されるので、蓋部材上での作業が安定する。したがって、洗面台をより効率的に利用することができる。
【００１１】
本発明の一態様に係る洗面台において好ましくは、蓋部材は、洗面ボウルと着脱可能に構成されており、洗面ボウルの内面の少なくとも一部に、蓋部材を係止するための段差が形成されている。
【００１２】
これにより、蓋部材を洗面ボウルに容易に固定できるので、蓋部材上での安定した作業が容易になる。
【００１３】
本発明の一態様に係る洗面台において好ましくは、洗面ボウル内に向けて吐水する水栓をさらに備え、蓋部材は、洗面ボウルにおいて水栓の下方に位置する領域を除いた領域全体を覆う。
【００１４】
これにより、蓋部材による作業スペースを確保しつつ、水栓により水を使用することができる。
【００１５】
本発明の一態様に係る洗面台において好ましくは、蓋部材は、表面と、この表面と反対側の裏面とを有し、裏面は、表面よりも耐熱性が高い。
【００１６】
これにより、裏面を表面よりも高熱のものを載置することができるので、表面及び裏面のそれぞれを作業台として利用することで、蓋部材を複数種類の用途に用いることができる。
【００１７】
本発明の一態様に係る洗面台において好ましくは、表面は、ドレッサーとして機能し、裏面は、アイロン台として機能する。
【００１８】
蓋部材の表面を利用することにより、蓋部材をドレッサーとして使用することができるとともに、蓋部材の裏面を利用することにより、蓋部材をアイロン台として使用することができる。
【００１９】
本発明の一態様に係る洗面台において好ましくは、洗面ボウルの少なくとも一部を取り囲む洗面カウンターをさらに備え、蓋部材の表面が上方に位置するように洗面ボウルを覆うときに、蓋部材の表面は、洗面カウンターと同一平面上に位置するように位置決めされ、蓋部材の裏面が上方に位置するように洗面ボウルを覆うときに、蓋部材の裏面は、洗面カウンターよりも上方に位置するように位置決めされる。
【００２０】
これにより、蓋部材をドレッサーとして使用する時には、洗面カウンターと蓋部材の表面とが同一平面になる、すなわち段差がなくなるので、使い勝手が良い。また、蓋部材をアイロン台として使用する時には、蓋部材の裏面は洗面カウンターよりも上方に位置するので、アイロン掛けを容易に行うことができる。
【００２１】
本発明の一態様に係る洗面台において好ましくは、洗面ボウルの上方に設けられたミラーキャビネットをさらに備え、ミラーキャビネットは、ハンガーを掛けるための引掛部を有している。
【００２２】
これにより、蓋部材をアイロン台として使用する際に、アイロン掛けした衣服等を引掛部に掛かったハンガーに掛けたり、アイロン掛けした衣服等をハンガーに掛け、そのハンガーを引掛部に掛けることができるので、アイロン掛けの際に洗面台が散らからず、効率よくアイロン掛けができる。したがって、洗面台をより効率的に利用することができる。
【００２３】
本発明の一態様に係る洗面台において好ましくは、洗面ボウルの下方に設けられた下部キャビネットをさらに備え、下部キャビネットは、スツール機能を有している。
【００２４】
これにより、下部キャビネットは、収納の機能を有するとともに、スツールの役割も果たす。蓋部材が洗面ボウルの少なくとも一部を覆うように配置したときに、スツール機能により座ることができるので、蓋部材上での作業が楽である。
【００２５】
本発明の一態様に係る洗面台用蓋部材は、洗面ボウルを有する洗面台において、洗面ボウルの少なくとも一部を覆うように位置決めされることを特徴としている。
【００２６】
本発明の一態様に係る洗面室構造は、洗面ボウルと、この洗面ボウルと着脱可能であり、かつアイロン台機能を有する蓋部材とを含む洗面台を設置するための洗面台スペースと、この洗面台スペース近傍に設けられ、洗濯機を設置するための洗濯機スペースとを備えている。
【００２７】
本発明の一態様に係る洗面室構造によれば、洗面台スペースで洗面の機能を果たすとともに、蓋部材を洗面ボウルに装着することでアイロン掛けができる。このため、本発明の洗面室構造内において、洗濯機スペースで洗濯した洗濯物を洗面台スペースでアイロン掛けをすることができる。したがって、洗面台を効率的に利用することができる。
【００２８】
本発明の一態様に係る洗面室構造において好ましくは、洗濯機スペースに設置された洗濯機により生じる洗濯物を干すための物干しスペースをさらに備えている。
【００２９】
これにより、本発明の洗面室構造内において、洗濯機スペースで洗濯した洗濯物を物干しスペースで乾燥し、洗面台スペースでアイロン掛けができる。すなわち、脱衣後から衣服の乾燥、アイロン掛けに至る一連の洗濯に関連する家事を、洗面室内で行うことができる。したがって、洗面台をより効率的に利用することができる。
【発明の効果】
【００３０】
本発明の一態様に係る洗面台、洗面台用蓋部材、及び洗面室構造によれば、洗面台を効率的に利用することができる。
【図面の簡単な説明】
【００３１】
【図１】実施の形態１の洗面台を示す模式図である。
【図２】図１におけるＩＩ−ＩＩ線に沿った断面図であり、洗面ボウル近傍を概略的に示す。
【図３】実施の形態１の蓋部材の裏面を上方に位置させたときの使用状態を概略的に示し、図１におけるＩＩ−ＩＩ線に沿った断面に相当する。
【図４】実施の形態１の蓋部材の裏面を上方に位置させたときの「使用状態を概略的に示し、図１におけるＩＩ−ＩＩ線に沿った断面に相当する。
【図５】実施の形態１の蓋部材の裏面を上方に位置させたときの使用状態を概略的に示し、図１におけるＩＩ−ＩＩ線に沿った断面に相当する。
【図６】実施の形態１の洗面台の下部キャビネットを開けた状態を概略的に示す上面図である。
【図７】図６におけるＶＩＩ−ＶＩＩ線に沿った断面図であり、洗面ボウル及び下部キャビネット近傍を概略的に示す。
【図８】実施の形態１の洗面台の使用状態を概略的に示す側面図である。
【図９】実施の形態１の洗面台の使用状態を概略的に示す正面図である。
【図１０】実施の形態２の洗面室構造を示す模式図である。
【発明を実施するための形態】
【００３２】
以下、図面に基づいて本発明の実施の形態を説明する。なお、以下の図面において同一または相当する部分には同一の参照符号を付しその説明は繰り返さない。
【００３３】
（実施の形態１）
図１〜図９を参照して、本発明の一実施形態の洗面台及び洗面台用蓋部材（以下、「蓋部材」とも言う）について説明する。図１に示すように、実施の形態１の洗面台１０は、洗面ボウル１１と、洗面カウンター１２と、水栓１３と、下部キャビネット１４と、ミラーキャビネット１６とを備えている。
【００３４】
洗面ボウル１１は、水を内面で受け、底部に排水口を有している。排水口は、栓体（図示せず）によって開閉可能である。洗面ボウル１１は、後述する洗面カウンター１２の天板よりも下方に位置するアンダーボウル型であってもよく、一体型であってもよい。
【００３５】
この洗面ボウル１１を洗面カウンター１２が取り囲んでいる。洗面カウンター１２は、洗面ボウル１１の少なくとも一部を取り囲んでいればよいが、本実施の形態では、洗面ボウル１１の周囲全体を取り囲んでいるため、フロントカウンターとサイドカウンターとバックカウンターとを有している。少なくともサイドカウンターの上面（天板）は平坦面である。
【００３６】
また、洗面ボウル１１内に向けて吐水するように水栓１３が設けられている。水栓１３は、バックカウンターまたは洗面ボウル１１に配置されている。
【００３７】
洗面ボウル１１の少なくとも一部を覆うように位置決めされる蓋部材１が設けられている。つまり、蓋部材１は、洗面ボウル１１の少なくとも一部を覆う所定位置に配置されるように構成されている。
【００３８】
蓋部材１は、洗面ボウル１１と着脱可能に構成されていてもよく、洗面ボウル１１に連結されていてもよい。後者の場合、連結点を中心に回動またはスライドすることで、蓋部材１が洗面ボウル１１の所定位置に配置される。連結点は特に限定されず、例えばサイドカウンターにヒンジを介して連結される。連結点により蓋部材１が位置決めされるので、蓋部材１は洗面ボウル１１と嵌合する形状を有していてもよく、有していなくてもよい。
【００３９】
ただし、蓋部材１は、洗面ボウル１１と嵌合する形状を有していることが好ましい。つまり、蓋部材１は、洗面ボウル１１と形状的に適合している。このような形状として、例えば、蓋部材１は、洗面ボウル１１の内面に沿った形状を有している。本実施の形態では、図２及び図３に示すように、洗面ボウル１１の内面の少なくとも一部に、蓋部材１を係止するための段差１１ａが形成されている。段差１１ａは、洗面ボウル１１の内面上部の少なくとも２箇所に設けられており、内面上部の全周に渡って形成されていてもよく、内面上部の対向する２辺全体にのみ形成されていてもよく、内面上部の対向する２辺の一部に形成されていてもよい。この場合、蓋部材１を洗面ボウル１１の段差１１ａに載置することで、蓋部材１は洗面ボウル１１に係止されて、洗面ボウル１１の少なくとも一部を閉塞する。
【００４０】
蓋部材１において洗面ボウル１１を覆う領域は特に限定されず、洗面台１０の前方から見て、左右方向に架け渡されてもよく、前後方向に架け渡されてもよく、左後方から右前方などの斜めに架け渡されてもよく、洗面ボウル１１全体を覆ってもよい。洗面台１０を有効活用する観点から、図１に示すように、蓋部材１は、洗面ボウル１１において水栓１３の下方に位置する領域を除いた領域全体を覆うことが好ましい。つまり、蓋部材１は、洗面ボウル１１と平面視において略同様の形状を有し、かつ水栓１３の下方に位置する領域に切り欠きが形成されている。この場合、蓋部材１を洗面ボウル１１に嵌合させた状態で、水栓を使用することができる。
【００４１】
図２〜図５に示すように、蓋部材１は、表面２と、この表面２と反対側の裏面３とを有している。本実施の形態の蓋部材１は、表面２を有する表面層と、裏面３を有する裏面層とを含む板状である。裏面３は、表面２よりも耐熱性が高い。このため、表面２は、ドレッサーとして機能し、裏面３は、アイロン台として機能する。化粧台や鏡台などとして使用可能なドレッサー機能を有する表面２は平坦面であり、汚れが取れやすいような表面処理、表面２上に載置した物が滑りにくいような表面処理などが施されていてもよい。アイロン台機能を有する裏面３は平坦面であってもよく、曲面であってもよい。本実施の形態の裏面３を含む裏面層は、クッション材を含んでいる。
【００４２】
ここで、「ドレッサー」とは、化粧道具（化粧品、整髪料などを含む）などをのせる台である化粧台を意味し、鏡台、鏡つきの化粧ダンスなどを含む。
【００４３】
図２に示すように、蓋部材１の表面２が上方に位置する（裏面３が洗面ボウル１１と対向する）ように洗面ボウル１１を覆うときに、蓋部材１の表面２は、洗面カウンター１２と同一平面上に位置するように位置決めされる。図３に示すように、蓋部材１の裏面３が上方に位置する（表面２が洗面ボウル１１と対向する）ように洗面ボウル１１を覆うときに、蓋部材１の裏面３は、洗面カウンター１２よりも上方に位置するように位置決めされる。このように位置決めされるために、図２及び図３に示すように、平面視において表面層は裏面層よりも大きく、表面層が洗面ボウル１１の段差１１ａと嵌合し、表面層の厚みと段差１１ａの深さとを略同一にしている。これにより、図３に示すように、裏面３が上方に位置するように段差１１ａに表面層を配置すると、少なくとも裏面層の厚み分は、洗面カウンター１２から上方に位置する。
【００４４】
図４及び図５に示すように、蓋部材１は、表面２と裏面３との間隔を広げるために、表面２と裏面３との間に設けられたパンダグラフ等の可動脚４をさらに有している。可動脚４を伸ばすことで、蓋部材１の裏面３を洗面カウンター１２のからせり上がるように配置してアイロン掛けをすることができる。可動脚４は、図４に示すように蓋部材１の中央部に設けられてもよく、図５に示すように蓋部材１の端部に設けられてもよい。図５の場合、可動脚４を伸ばした状態において、アイロン２１によりアイロン掛けをする対象物２２を裏面３と可動脚４との間に挿通できる。
【００４５】
図１、図６及び図７に示すように、洗面ボウル１１の下方には、下部キャビネット１４が設けられている。下部キャビネット１４は、収納部であり、洗濯物、蓋部材１など種々の物を収納できる。本実施の形態の下部キャビネット１４は、複数の引き出しを含んでいる。１つの引き出し１５は、図６及び図７に示すように、蓋部材１を内部に収容するように構成されている。なお、図６及び図７において、蓋部材１は、洗面ボウル１１を被覆する位置と、引き出し１５内に収容されている位置とに配置されているが、図６及び図７はいずれの位置に配置されてもよいことを示したものである。引き出し１５は、蓋部材１を係止するための係止部１５ａを有している。なお、蓋部材１が蛇腹状に折り畳めるように構成されている場合には、係止部１５ａは省略される。
【００４６】
また、この引き出し１５は、図７に示すように、前扉の上端から内部に向けて延出する板状部１５ｂを有している。この板状部１５ｂは、スツールである。つまり、板状部１５ｂは、洗面台１０の使用時において、椅子として使用される。なお、引き出し１５内に、引き出し１５と連結されていないスツールが収納されていてもよい。
【００４７】
図１、図８及び図９に示すように、洗面ボウル１１の上方には、ミラーキャビネット１６が設けられている。ミラーキャビネット１６は、収納部材と、収納部材の前面に設けられた鏡とを含んでいる。鏡は、三面鏡であってもよい。
【００４８】
図８及び図９に示すように、ミラーキャビネット１６は、ハンガーを掛けるための引掛部１６ａを有している。引掛部１６ａは、ハンガーを掛けるためのフックなどの部材が取り付けられたものでもよく、図８に示すように隙間部としてもよい。本実施の形態の隙間部は、収納部材の上面よりも鏡の上端が上方に位置することで、収納部材の上面と鏡の上端部との間にハンガーが掛かるための構造を形成している。この場合、図８に示すように、蓋部材１の裏面３が上方に位置するように蓋部材１を洗面ボウル１１に配置し、図８及び図９に示すように、裏面３上でアイロン掛けした対象物２２をミラーキャビネット１６の引掛部１６ａに掛けられたハンガーに吊るすことができる。また、裏面３上でアイロン掛けした対象物２２をハンガーに吊るし、そのハンガーをミラーキャビネット１６の引掛部１６ａに掛けることもできる。
【００４９】
続いて、本実施の形態の洗面台１０の使用方法について説明する。
【００５０】
洗面台１０をドレッサーとして使用する際には、図２に示すように、蓋部材１を洗面ボウル１１の少なくとも一部を覆うように配置する。このとき、蓋部材１の表面２が上方に位置するように配置する。これにより、洗面ボウル１１上に配置された蓋部材１の表面２上に化粧品、整髪料などを置くことができるので、仮置きするスペースが大きくなり、ドレッサーとして使い勝手が向上する。特に洗面カウンター１２におけるサイドカウンターの幅が狭い場合には、洗面台１０をドレッサーとして使用する際に蓋部材１の表面２による作業スペースの増加の割合が大きいので、その効果が大きい。
【００５１】
また、蓋部材１が洗面ボウル１１において水栓１３の下方に位置する領域を除いた領域を覆っている場合には、化粧等のため手を洗う際に、水栓１３を使用することもできる。
【００５２】
次に、洗面台１０をアイロン掛けするために使用する際には、図３〜図５及び図８に示すように、蓋部材１において裏面３が上方に位置する状態で、蓋部材１を洗面ボウル１１の少なくとも一部を覆うように配置する。つまり、ドレッサーとして使用する場合の蓋部材１を反転させて洗面ボウル１１に蓋部材１を載置する。このとき、図４及び図５のように蓋部材１が可動脚４を含んでいる場合には、裏面３をせり上げる。アイロン２１がスチーム式である場合、水栓１３から給水することもできる。そして、アイロン掛けした対象物２２を、ミラーキャビネット１６の引掛部１６ａに掛けたハンガーに吊るしたり、アイロン掛けした対象物２２をハンガーに吊るし、そのハンガーをミラーキャビネット１６の引掛部１６ａに掛けることもできるので、複数の対象物２２に対して連続してアイロン掛けをすることもできる。
【００５３】
本実施の形態では、下部キャビネット１４がスツール機能を有しているので、図７に示すように引き出し１５を開けて板状部１５ｂ上に座ることができる。このため、座った状態で、化粧、整髪、アイロン掛け等を行うことができる。
【００５４】
次に、洗面台１０としての通常の使用をする際には、蓋部材１は、下部キャビネット１４の引き出し１５の内部に収納することができる。
【００５５】
このように、本実施の形態の洗面台１０の洗面台用蓋部材１は、ドレッサーなどの作業台、アイロン台などとして使用することができるので、多機能洗面台を実現できる。このため、本実施の形態の洗面台１０は、洗面化粧台とは別にドレッサーを置くスペースがないような占有面積の小さい集合住宅に特に有用である。
【００５６】
（実施の形態２）
図１０を参照して、本発明の一実施形態の洗面室構造について説明する。図１０に示すように、本実施の形態の洗面室構造１００は、洗面台スペース１１０と、洗濯機スペース１２０と、物干しスペース１３０とを備えている。
【００５７】
洗面台スペース１１０は、洗面ボウル１１と、この洗面ボウル１１と着脱可能であり、かつアイロン台機能を有する蓋部材１とを含む洗面台が配置される。具体的には、洗面ボウル１１と、この洗面ボウル１１の少なくとも一部を覆うように位置決めされた蓋部材１とを含む実施の形態１の洗面台１０が洗面台スペース１１０に設けられる。
【００５８】
なお、本実施の形態では、洗面台スペース１１０に配置された洗面台１０において、洗面カウンター１２の天板の下方に、キャスターが付けられたワゴンタイプの収納部１１１が設けられる。この収納部１１１は、例えば、洗濯機スペース１２０に設置される洗濯機に投入される洗濯物を収容する。収納部１１１は、洗面カウンター１２の下方から出し入れ自在であり、洗濯をする際には、洗濯機まで移動することができる。
【００５９】
この洗面台スペース１１０の近傍に、洗濯機スペース１２０が設けられている。本実施の形態では、洗濯機スペース１２０は、一方の壁側に設けられた洗面台スペース１１０と対向するように他方の壁側に設けられている。洗濯機スペース１２０には、洗濯機が配置される。
【００６０】
この洗濯機スペース１２０の近傍には、物干しスペース１３０が設けられている。本実施の形態では、物干しスペース１３０は、洗面台スペース１１０と洗濯機スペース１２０との間に設けられている。物干しスペース１３０は、洗濯機スペース１２０に設置された洗濯機により生じる洗濯物を干すための空間である。この物干しスペース１３０には、物干し竿のような洗濯物を干すための器具が配置される。本実施の形態の物干しスペース１３０には、天井から鉛直方向に延び、物干し竿を設置するための支持部１３１が複数設けられ、この支持部１３１に物干し竿が取り付けられるように構成されている。支持部１３１は、例えば、ホスクリーン（登録商標）などを用いることができる。また、物干しスペース１３０の天井には、支持部１３１が取り付けられるための取付部１３２が設けられている。
【００６１】
図１０に示すように、洗面室構造１００は、キャビネットが設置されるためのキャビネットスペース１４０をさらに備えていてもよい。本実施の形態のキャビネットスペース１４０は洗濯機スペース１２０と隣接し、他方の壁側に設けられている。
【００６２】
続いて、本実施の形態の洗面室構造１００の使用方法について説明する。
【００６３】
洗濯機スペース１２０に設けられた洗濯機で洗濯をする。その後、物干しスペースで洗濯した後の洗濯物を干す。次いで、洗面台スペース１１０において、アイロン台機能を有する裏面３が上方に位置するように蓋部材１を洗面ボウル１１に嵌合させる。この状態で、洗濯後の乾燥物にアイロン掛けを行う。アイロン掛けを行っている最中には、アイロン掛けが終わった物を、物干しスペース１３０に吊るしてもよい。最後に、アイロン掛けした物をキャビネットスペース１４０に設けられたキャビネットに収納する。
【００６４】
このように、本実施の形態の洗面室構造１００によれば、洗面室構造１００内で、洗濯、乾燥及びアイロン掛けができる。
【００６５】
なお、蓋部材１を洗面ボウル１１に装着しない場合には、洗面台スペースに設置された洗面台１０は、通常の使用が可能である。また、蓋部材１におけるアイロン台機能を有さない表面２が上方に位置するように洗面ボウル１１に装着することにより、蓋部材１をドレッサー等の作業台として機能させることもできる。
【００６６】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００６７】
１  蓋部材、２  表面、３  裏面、４  可動脚、１０  洗面台、１１  洗面ボウル、１１ａ  段差、１２  洗面カウンター、１３  水栓、１４  下部キャビネット、１５  引き出し、１５ａ  係止部、１５ｂ  板状部、１６  ミラーキャビネット、１６ａ  引掛部、２１  アイロン、２２  対象物、１００  洗面室構造、１１０  洗面台スペース、１１１  収納部、１２０  洗濯機スペース、１３０  物干しスペース、１３１  支持部、１３２  取付部、１４０  キャビネットスペース。
【図１】
2016106928.tif 000003
【図２】
2016106928.tif 000004
【図３】
2016106928.tif 000005
【図４】
2016106928.tif 000006
【図５】
2016106928.tif 000007
【図６】
2016106928.tif 000008
【図７】
2016106928.tif 000009
【図８】
2016106928.tif 000010
【図９】
2016106928.tif 000011
【図１０】
2016106928.tif 000012